(57)【要約】      （修正有）【課題】仏壇内でリンの配置の仕方に工夫を施すことで、仏壇内部の空間の有効利用を図り、仏壇の中が常に整然と見える仏壇及び吊り下げ用リンを提供する。【解決手段】開閉扉３１，３１を備えた箱形の仏壇１であり、その内部空間の天井部の欄間に、鉢状のリン１１をその開口を下側に向けて吊り下げて支持させる。【選択図】図１
0003218605.tif 000002
【実用新案登録請求の範囲】
【請求項１】
正面に開閉扉を備えた箱形の仏壇において、当該仏壇の内部空間の天井部にリンが設置された構成を有することを特徴とする仏壇。
【請求項２】
仏壇の天井部の欄間又はその近傍にリンが吊り下げられた構成を有する請求項１に記載の仏壇。
【請求項３】
リンは鉢状のリン本体とリン本体に通した吊金具からなり、リン本体がその開口を下側に向けて前記吊金具で仏壇の天井部に固定されてなる請求項１又は２に記載の仏壇。
【請求項４】
開口を下側に向けた鉢状のリン本体の頂部に軸部が突設され、この軸部に形成された孔部に吊金具が通されてなる吊り下げ用リン。
【考案の詳細な説明】
【技術分野】
【０００１】
本考案は、リンの意義や機能に着目し、その配置の仕方に工夫を施すことで仏壇内部の空間の有効利用を図った仏壇の構造に関する。
【背景技術】
【０００２】
近時、特に都市部のアパートやマンション、団地などの集合住宅で、仏壇を安置するためだけの仏間を確保することが困難となっている住宅事情に鑑みて、リビングルームやそれよりも狭い洋間の室内などに、スペースを取らずに設置することができるコンパクトな仏壇が開発され、都市部の集合住宅や一戸建て住宅の居住者、或いは老人ホームなどの施設の居住者などに広く利用されてきている。
【０００３】
本考案の考案者にあっては、洋室の床にスペースと取らずに設置可能であり、利用者が立ったままで祀った本尊や故人をお参りすることができる「立ち仏壇」を開発して販売に供しており、狭い住居の中に仏壇の設置を望む多くの利用者のニーズに応えている（例えば特許文献１参照）。
【先行技術文献】
【特許文献】
【０００４】
【特許文献１】実用新案登録第３１６３９７６号
【考案の概要】
【考案が解決しようとする課題】
【０００５】
ところで、仏壇の大きさに関わりなく、仏壇内に置かれた火立にろうそくを立て、花立に花を活けて供え、線差しに線香を差し入れると、何か仏壇の中が雑然としているように見える感じを拭えない。
【０００６】
仏壇に祀る故人が増えて位牌が追加されると、仏壇の中がさらにごちゃごちゃして手狭に感じてしまい、とりわけコンパクトに形成された仏壇では手狭感は顕著である。
【０００７】
そこで本考案は、仏具であるリンの配置の仕方に工夫を施すことで、仏壇内部の空間の有効利用を図り、仏壇の中が常に整然とした見た目となるようにすることを課題とする。
【課題を解決するための手段】
【０００８】
仏壇には、その正面側右下の上段部上にリンが置かれている。これは、コンパクトに形成された仏壇でも変わりはない。
然しながら、もともと仏壇は、山門や本堂を含む寺院全体を見立てた構成であり、リンを寺院の梵鐘の如く荘厳することは理にかなったものといえる。
【０００９】
そこで本考案は、従来、仏壇の正面手前の右下に設置されていたリンを、恰も梵鐘のように、仏壇の内部空間の天井部に吊り下げて設置して仏壇を構成するようにした。
【００１０】
本考案の仏壇は、正面に開閉扉を備えた箱形の仏壇であり、その内部空間の天井部の欄間又はその近傍にリンが吊り下げられた構成を有することを特徴とする。
また、鉢状のリン本体とリン本体に通した吊金具によりリンを構成し、リン本体を、その開口を下側に向けて前記吊金具で仏壇の内部空間天井に固定されるように構成することができる。
【００１１】
また、本考案の吊り下げ用リンは、開口を下側に向けた鉢状のリン本体の頂部に軸部が突設され、この軸部に形成された孔部に、例えばリング状の吊金具が通された構成を有することを特徴とする。
【考案の効果】
【００１２】
本考案の仏壇によれば、朝夕の御勤めの際に、仏壇内部の天井に吊り下げられたリンを、リン棒で打ち鳴らしてお参りすることができる。
リンが仏壇内部に吊り下げられているので、従来であればリンが置かれていた仏壇内の下方空間や仏壇の前方空間が、リンが置かれていない分だけ広がり、すっきりとした見た目の良い外観に収めることができる。前記広がった空間に供物を綺麗に並べて置くこともできる。
【図面の簡単な説明】
【００１３】
【図１】本考案の一実施形態の仏壇の正面側の外観図である。
【図２】図１の仏壇の上部部分の拡大正面図である。
【図３】吊り下げられたリンの外観図である。
【図４】リンの正面外観図である。
【考案を実施するための形態】
【００１４】
本考案の好適な一実施の形態を、図面を参照して説明する。
図１に示した仏壇は、前述の「立ち仏壇」に本考案のリンを適用し、仏壇の内部天井にリンを吊り下げて構成したものである。
【００１５】
より詳しくは、仏壇１は、適宜高さの下台２の上に仏壇本体３を一体に固定して、これを洋間などの床面上に設置して、仏壇本体３に祀った本尊や故人を、仏壇１の正面に立ったままお参りすることができるように構成してある。
【００１６】
仏壇本体３は、図２に示されるように、その正面に観音開きする扉３１，３１を設けて箱形に形成され、その内部が、上段３２、中段３３及び本尊台３４の各棚部で仕切られて、下側から上側に向けて順次手前側から奥側へ階段状に奥行が広くなる形状に設けてある。
【００１７】
そして、前記本尊台３４にはその中央に本尊４が設置され、中段３３には仏器５と茶湯器６、上段３２には花立７、線差し８、前香炉９、火立１０の各仏具がそれぞれ設置されているとともに、その内部空間の天井部３５に、開口を下側に向けたリン１１を吊るして構成してある。
リン１１を打ち鳴らすリン棒１２は、前記上段３２上に設置してある。
【００１８】
リン１１は、図３及び図４に示されるように、開口を下側に向けた鉢状のリン本体１１ａの頂部に上方へ突出した軸部１１ｂを一体に設け、この軸部１１ｂに形成された孔部１１ｃにリング状の吊金具１１ｄを通して形成してある。
【００１９】
このように形成されたリン１１は、仏壇本体３の天井部３５の欄間に取り付けられた吊補助具１３に前記吊金具１１ｄを引っ掛け、リン本体１１ａを下向きにして天井部３３の欄間から吊り下げて、仏壇本体３の内部に設置してある。
【００２０】
図示した本形態の仏壇１によれば、朝夕の御勤めの際に仏壇１の正面に立って、仏壇本体３内に吊り下げられたリン１１をリン棒１２で打ち鳴らしてお参りすることができる。
リン１１が天井部３５に吊り下げてあるので、仏壇本体３の従来であればリンを載せていた上段３３上に空き空間が生じ、仏壇本体３の全体がすっきりとした見た目の良い外観のものとなり、また、上段３３上の空きスペースには供物などを置くことも可能である。
【００２１】
図示した形態では、コンパクトに形成された仏壇にリンを吊るした態様を示したが、本考案は、家具調の仏壇や現代風の仏壇、壁掛け式や厨子式の仏壇、上置きや床置きの仏壇など、様々なタイプ、設置形式の仏壇に適用が可能である。また、図示したリンの形態は一例であり、本考案のリンは他の適宜な形状に設けることができる。
【符号の説明】
【００２２】
１  仏壇、２  下台、３  仏壇本体、３１  扉、３２  上段、３３  中段、３４  本尊台、３５  天井部、４  本尊、５  仏器、６  茶湯器、７  花立、８  線差し、９  前香炉９、１０  火立、１１  リン、１１ａ  リン本体、１１ｂ  軸部、１１ｃ  孔部、１１ｄ  吊金具、１２  リン棒、１３  吊補助具
【図１】
0003218605.tif 000003
【図２】
0003218605.tif 000004
【図３】
0003218605.tif 000005
【図４】
0003218605.tif 000006